(57)【要約】      （修正有）【課題】木箱における木箱本体から蓋板を取り外すことが可能な機能と、この取り外し後に木箱本体側に残置されたステープルを容易に抜き取り可能な機能との二つの機能を合理的に備えた木箱開蓋具を提供する。【解決手段】木箱１における蓋板の縁部と開口２ａの開口縁部２ｂ間に差し込み可能な先端７ａと把持部６との連接基部７ｂとを備えたへら状部７とを備える。へら状部７の先端７ａと連接基部７ｂとの間においてへら状部７の一面に実質的に直交する向きに突き出す第一突部８及び第二突部９を、木箱本体２から蓋板を取り外した状態において開口２ａの開口縁部２ｂに残置されたステープル４内の空間１０に、第一突部８及び第二突部９のいずれか一方を側方より差し込み可能で、それと同時に、第一突部８及び第二突部９の他方の側部を残置されたステープル４の近傍において開口２ａの開口縁部２ｂに当接可能に、備えさせてなる。【選択図】図３
0003219490.tif 000002
【実用新案登録請求の範囲】
【請求項１】
把持部と、
木箱本体とその開口を塞ぐ蓋板とを、前記蓋板の縁部を通じて前記開口の開口縁部に打ち込まれるコ字状のステープルによって止め合わせてなる木箱における前記蓋板の縁部と前記開口の開口縁部との間に差し込み可能な先端と前記把持部との連接基部とを備えたへら状部とを備えると共に、
前記へら状部の前記先端と前記連接基部との間において前記へら状部の一面に実質的に直交する向きに突き出す第一突部及び第二突部を、前記木箱本体から前記蓋板を取り外した状態において前記開口の開口縁部に残置された前記ステープル内の空間に、前記第一突部及び前記第二突部のいずれか一方を側方より差し込み可能で、それと同時に、前記第一突部及び前記第二突部の他方の側部を前記残置されたステープルの近傍において前記開口の開口縁部に当接可能に、備えさせてなる、木箱開蓋具。
【請求項２】
前記へら状部の前記先端と前記連接基部とに亘る前記へら状部の中心線を挟んだ一方側に前記第一突部を備えさせ、前記中心線を挟んだ他方側に前記第二突部を備えさせてなる、請求項１に記載の木箱開蓋具。
【請求項３】
前記第一突部に対し、前記第二突部を、前記中心線を挟んだ線対称位置に備えさせてなる、請求項２に記載の木箱開蓋具。
【請求項４】
前記へら状部の前記先端と前記第一突部及び前記第二突部との間の距離を、３０ｍｍ〜４０ｍｍの範囲としてなる、請求項１〜請求項３のいずれか１項に記載の木箱開蓋具。
【請求項５】
前記第一突部と前記第二突部との間の距離を、３５ｍｍ〜４５ｍｍの範囲としてなる、請求項１〜請求項４のいずれか１項に記載の木箱開蓋具。
【考案の詳細な説明】
【技術分野】
【０００１】
この考案は、木箱本体とその開口を塞ぐ蓋板とを、前記蓋板の縁部を通じて前記開口の開口縁部に打ち込まれるコ字状のステープルによって止め合わせてなる木箱の開蓋に用いられる木箱開蓋具に関する。
【背景技術】
【０００２】
高級ワインなど、輸送にあたっての収納体として木箱が用いられる商品がある。また、このような用途で用いられる木箱には、木箱本体とその開口を塞ぐ蓋板とを前記蓋板の縁部を通じて前記開口の開口縁部に打ち込まれるコ字状のステープルによって止め合わせたものがある。したがって、このような木箱を開封するためには、ステープルの止着力に打ち勝つ力で前記蓋板をこじ開け木箱本体から取り外す必要がある。このとき、打ち込まれていたステープルは取り外された蓋板と一緒になって木箱本体から抜けるものもあるが、木箱本体の開口縁部に残置されるものもある。特に木箱を構成する板材の材質が杉材などの柔らかいものである場合、前記こじ開け時に蓋板の上面に位置していたステープルの左右の脚部間をつなぐ連接部が蓋板の肉内を抜けてしまうことが起こりやすく、こうなるとステープルは蓋板と分離して木箱本体側に残置することとなる。
【０００３】
前記のような商品は、流通の過程では、先ず木箱本体から蓋板を取り外して商品状態の確認がされ、小売店や飲食店への出荷までの間倉庫で保管される。また、小売店などでは、木箱本体内に商品を納めた状態で展示される場合も少なくない。このため、開封時に木箱本体に残置されたステープルを除去するか、目立たないようにする作業を行うことが余儀なくされている。除去作業は典型的にはペンチなどの工具での残置されたステープルの引き抜く。目立たないようにする作業は残置されたステープルにハンマなどで打撃を加えてステープルを木箱本体から突き出さない態様に変形させる。しかし、一つの木箱においては複数のステープルが用いられており、このため、かかるステープルに起因するこの種の木箱の開封作業の労力を合理的に低減させることが求められている。
【考案の概要】
【考案が解決しようとする課題】
【０００４】
この考案が解決しようとする主たる問題点は、この種の木箱における木箱本体から蓋板を取り外すことが可能な機能と、この取り外し後に木箱本体側に残置されたステープルを容易に抜き取り可能な機能との二つの機能を合理的に備えた木箱開蓋具を提供する点にある。
【課題を解決するための手段】
【０００５】
前記課題を達成するために、この考案にあっては、木箱開蓋具を、把持部と、
木箱本体とその開口を塞ぐ蓋板とを、前記蓋板の縁部を通じて前記開口の開口縁部に打ち込まれるコ字状のステープルによって止め合わせてなる木箱における前記蓋板の縁部と前記開口の開口縁部との間に差し込み可能な先端と前記把持部との連接基部とを備えたへら状部とを備えると共に、
前記へら状部の前記先端と前記連接基部との間において前記へら状部の一面に実質的に直交する向きに突き出す第一突部及び第二突部を、前記木箱本体から前記蓋板を取り外した状態において前記開口の開口縁部に残置された前記ステープル内の空間に、前記第一突部及び前記第二突部のいずれか一方を側方より差し込み可能で、それと同時に、前記第一突部及び前記第二突部の他方の側部を前記残置されたステープルの近傍において前記開口の開口縁部に当接可能に、備えさせてなる、ものとした。
【０００６】
かかる木箱開蓋具は把持部を手で握って使用する。へら状部の先端を木箱における前記蓋板の縁部と前記木箱本体の開口の開口縁部との間に押し当て、へら状部に対し前記蓋板の縁部と前記木箱本体の開口の開口縁部との間に進入させる向きの力を加えることで、へら状部を両者間に差し込むことができる。前記蓋板の縁部と前記木箱本体の開口の開口縁部との間にへら状部を差し込んだ状態からへら状部を上下に動かすように操作することで、前記蓋板の縁部と前記木箱本体の開口の開口縁部間の隙間を拡大させ、最終的にはステープルの止着力に打ち勝って木箱本体から蓋板を取り外して木箱本体を開くことができる。打ち込まれていたステープルは取り外された蓋体と一緒になって木箱本体から抜けるものもあるが、木箱本体の開口縁部に残置されるものもある。残置されたステープルは、この残置された前記ステープル内の空間に、前記第一突部及び前記第二突部のいずれか一方を側方より差し込み、それと同時に、前記第一突部及び前記第二突部の他方の側部を前記残置されたステープルの近傍において前記開口の開口縁部に当接させた状態から、前記第一突部及び前記第二突部の他方を支点としての回動中心とし把持部を力点として木箱開蓋具を回動操作することで木箱本体の開口縁部から抜き取ることができる。
【０００７】
前記へら状部の前記先端と前記連接基部とに亘る前記へら状部の中心線を挟んだ一方側に前記第一突部を備えさせ、前記中心線を挟んだ他方側に前記第二突部を備えさせることが、この考案の形態の一つとされる。
【０００８】
また、前記第一突部に対し、前記第二突部を、前記中心線を挟んだ線対称位置に備えさせることが、この考案の形態の一つとされる。
【０００９】
また、前記へら状部の前記先端と前記第一突部及び前記第二突部との間の距離を、３０ｍｍ〜４０ｍｍの範囲とすることが、この考案の形態の一つとされる。
また、前記第一突部と前記第二突部との間の距離を、３５ｍｍ〜４５ｍｍの範囲とすることが、この考案の形態の一つとされる。
【考案の効果】
【００１０】
この考案にかかる木箱開蓋具は、前記木箱における木箱本体から蓋板を取り外すことが可能な機能と、この取り外し後に木箱本体側に残置されたステープルを容易に抜き取り可能な機能との二つの機能を合理的に備えており、また、前記取り外しと抜き取りとを工具を取り替えずに連続的に行うことができ、この種の木箱の開封作業を効率的かつ容易に実施可能とする特長を有する。
【図面の簡単な説明】
【００１１】
【図１】図１は、この考案の一実施の形態にかかる木箱開蓋具の平面図である。
【図２】図２は、前記木箱開蓋具の側面図である。
【図３】図３は、前記木箱開蓋具によって木箱本体に残置されたステープルを抜き取る作業を行うときの様子を示した斜視図である。
【図４】図４は、前記木箱開蓋具によって木箱を開封するときの作業過程を理解しやすいように示した側面構成図であり、ａ図は開封前の木箱の様子、ｂ図は蓋板と木箱本体との間に木箱開蓋具のへら状部を差し込んだ様子を、ｃ図は蓋板を取り去った後木箱本体にステープルが残置した様子を、それぞれ示している。
【図５】図５は、前記木箱開蓋具によってステープルを抜き取るときの作業過程を理解しやすいように示した要部破断側面構成図であり、木箱開蓋具は第一突部及び前記第二突部のみ表しており、ａ図はステープルの抜き取りが可能なように木箱開蓋具を木箱本体上にセットした様子を、ｂ図はａ図の状態から木箱開蓋具を操作してステープルを抜き取った直後の様子を示している。
【図６】図６は、木箱の分解斜視構成図である。
【図７】図７は、木箱の斜視図である。
【考案を実施するための形態】
【００１２】
以下、図１〜図７に基づいて、この考案の典型的な実施の形態について説明する。
【００１３】
この考案にかかる木箱開蓋具５は、木箱本体２とその開口２ａを塞ぐ蓋板３とを、前記蓋板３の縁部３ａを通じて前記開口２ａの開口縁部２ｂに打ち込まれるコ字状のステープル４によって止め合わせてなる木箱１の開蓋に用いられるものである。
【００１４】
図１及び図２に前記木箱１の一例を示す。木箱１は六面体である。木箱本体２は底板２ｃと四つの側板２ｄを有し、底板２ｃと反対の側を開口２ａとしている。蓋板３は底板２ｃに倣った底板２ｃと同じ大きさの四角形の板である。前記開口２ａを通じて木箱本体２内に収納物（図示は省略する。）を収めた後、前記開口２ａ上に蓋板３を載せ、前記のようにステープル４を打ち込むことで、収納物を内部に収めた木箱１が構成される。
【００１５】
前記ステープル４は、金属製の線材からなり、下端を尖らせた左右の脚部４ａと、この左右の脚部４ａの上端間に亘る連接部４ｂとを有している。
【００１６】
前記ステープル４は、前記連接部４ｂの長さ方向４ｃを、木箱１を構成する側板２ｄの厚さ方向２ｅに直交させる向きで、前記蓋板３の縁部３ａを通じて前記開口２ａの開口縁部２ｂに打ち込まれるようになっている（図３参照）。
【００１７】
木箱開蓋具５は、把持部６と、へら状部７とを備えている。
【００１８】
図示の例では、把持部６は、実質的に円柱状をなす。
【００１９】
へら状部７は、前記木箱１における前記蓋板３の縁部３ａと前記開口２ａの開口縁部２ｂとの間に差し込み可能な先端７ａと、前記把持部６との連接基部７ｂとを備えている。
【００２０】
典型的には、へら状部７は、金属製の板体を成形して構成される。
【００２１】
図示の例では、へら状部７の先端７ａの先端縁は、直線状となっている。連接基部７ｂはかかる先端縁より幅狭となっている。この先端７ａの先端縁と連接基部７ｂとの間に亘る左右の側縁７ｃは連接基部７ｂに近づくに連れてへら状部７の幅を漸減させるように形成されている。
【００２２】
また、図示の例では、へら状部７は、先端７ａからその全長の約３分の２に至る箇所７ｄまでの間を仮想の第一平面Ｓ１に沿わせていると共に、前記箇所７ｄから連接基部７ｂまでの間を前記箇所７ｄにおいて前記仮想の第一平面Ｓ１に交叉する仮想の第二平面Ｓ２に沿わせるように構成されており、前記箇所７ｄにおいて緩やかに屈曲されている（図２）。
【００２３】
すなわち、へら状部７は、前記屈曲の屈曲内側となる上面７ｅと、屈曲外側となる下面７ｆとを有する。
【００２４】
図中符号７ｇで示すのは、へら状部７の先端７ａの先端縁を薄肉として前記木箱１における前記蓋板３の縁部３ａと前記開口２ａの開口縁部２ｂとの間に差し込み易くするために前記上面７ｅに形成された傾斜面である。
【００２５】
前記へら状部７の前記先端７ａと前記連接基部７ｂとの間には、前記へら状部７の一面となる前記下面７ｆに実質的に直交する向きに突き出す第一突部８及び第二突部９が備えられている。
【００２６】
第一突部８及び第二突部９は、へら状部７に、前記木箱本体２から前記蓋板３を取り外した状態において前記開口２ａの開口縁部２ｂに残置された前記ステープル４内の空間１０（図３参照）に、前記第一突部８及び前記第二突部９のいずれか一方を側方より差し込み可能で、それと同時に、前記第一突部８及び前記第二突部９の他方の側部を前記残置されたステープル４の近傍において前記開口２ａの開口縁部２ｂに当接可能とするようにして、備えられている。
【００２７】
図示の例では、前記へら状部７の前記先端７ａと前記連接基部７ｂとに亘る前記へら状部７の中心線Ｌ１を挟んだ一方側に前記第一突部８を備えさせ、前記中心線Ｌ１を挟んだ他方側に前記第二突部９を備えさせている（図１）。すなわち、へら状部７の幅方向において、第一突部８と第二突部９との間には、間隔が形成されている。
【００２８】
また、前記第一突部８に対し、前記第二突部９を、前記中心線Ｌ１を挟んだ線対称位置に備えさせている。すなわち、前記第一突部８及び第二突部９は、前記中心線Ｌ１に直交する仮想の直線Ｌ２上に位置するように設けられている（図１参照）。
【００２９】
より具体的には、図示の例では、第一突部８及び第二突部９は、ボルト状体１１を、へら状部７に形成した貫通穴（図示は省略する。）を通じてへら状部７の上面７ｅ側から挿通し、へら状部７の下面７ｆ側からボルト状体１１にネジ付けたナット１２を締め込むことで、へら状部７に一体に備えられている。
【００３０】
図示の例では、ボルト状体１１は、公知のボルトを加工したものとなっている。図示の例では、公知のボルトの先端から頭部近傍までの箇所において、ボルトの直径方向両側にそれぞれカッティングを施し、このカッティングを施した箇所においてボルトが断面Ｉ字状を呈するようにしている。かかるカッティングにより形成されたカッティング面１１ａは、前記中心線Ｌ１に沿っており、へら状部７の側縁７ｃ側に向けられている。これによって、第一突部８及び第二突部９はいずれも、前記木箱本体２から前記蓋板３を取り外した状態において前記開口２ａの開口縁部２ｂに残置された前記ステープル４内の空間１０に差し込みやすくなっている。
【００３１】
このような構成を備えた木箱開蓋具５は把持部６を手で握って使用する。へら状部７の先端７ａを木箱１における前記蓋板３の縁部３ａと前記木箱本体２の開口２ａの開口縁部２ｂとの間に押し当て、へら状部７に対し前記蓋板３の縁部３ａと前記木箱本体２の開口２ａの開口縁部２ｂとの間に進入させる向きの力を加えることで、へら状部７を両者間に差し込むことができる。前記蓋板３の縁部３ａと前記木箱本体２の開口２ａの開口縁部２ｂとの間にへら状部７を差し込んだ状態（図４ｂ）からへら状部７を上下に動かすように操作することで、前記蓋板３の縁部３ａと前記木箱本体２の開口２ａの開口縁部２ｂ間の隙間を拡大させ、最終的にはステープル４の止着力に打ち勝って木箱本体２から蓋板３を取り外して木箱本体２を開くことができる。打ち込まれていたステープル４は取り外された蓋板３と一緒になって木箱本体２から抜けるものもあるが、木箱本体２の開口縁部２ｂに残置されるものもある（図４ｃ）。残置されたステープル４は、図３に示されるように木箱本体２の外側から、この残置された前記ステープル４内の空間１０に、前記第一突部８及び前記第二突部９のいずれか一方を側方より差し込み、それと同時に、前記第一突部８及び前記第二突部９の他方の側部を前記残置されたステープル４の近傍において前記開口２ａの開口縁部２ｂに当接させた状態（図５ａ）から、前記第一突部８及び前記第二突部９の他方を支点としての回動中心とし把持部６を力点として木箱開蓋具５を回動操作することで木箱本体２の開口縁部２ｂから抜き取ることができる（図５ｂ）。
【００３２】
木箱１を構成する板材の厚さが１０ｍｍ前後である場合、前記へら状部７の前記先端７ａと前記第一突部８及び前記第二突部９との間の距離を、３０ｍｍ〜４０ｍｍの範囲としておくと、前記蓋板３の縁部３ａと前記木箱本体２の開口２ａの開口縁部２ｂ間にへら状部７を差し込んだ状態からのへら状部７を上下に動かす操作によって生じるてこ状の力を効果的に蓋板３に作用させることができる一方で、前記差し込みによりへら状部７の先端７ａが木箱１の収納物に当たって収納物を傷つける事態を可及的に防止できる。
【００３３】
また、木箱１を構成する板材の厚さが１０ｍｍ前後でステープル４の脚部４ａの長さが２５ｍｍ前後である場合、前記第一突部８と前記第二突部９との間の距離を、３５ｍｍ〜４５ｍｍの範囲としておくと、木箱開蓋具５の前記回動操作時においてステープル４内の空間１０に差し込まれた前記第一突部８及び前記第二突部９の一方の移動軌跡を直線に近くすることができ、ステープル４をより抜き取り易くなる。
【００３４】
なお、当然のことながら、本考案は以上に説明した実施態様に限定されるものではなく、本考案の目的を達成し得るすべての実施態様を含むものである。
【符号の説明】
【００３５】
１  木箱
２ａ  開口
２ｂ  開口縁部
３  蓋板
３ａ  縁部
４  ステープル
６  把持部
７  へら状部
７ａ  先端
７ｂ  連接基部
８  第一突部
９  第二突部
１０  空間
【図１】
0003219490.tif 000003
【図２】
0003219490.tif 000004
【図３】
0003219490.tif 000005
【図４】
0003219490.tif 000006
【図５】
0003219490.tif 000007
【図６】
0003219490.tif 000008
【図７】
0003219490.tif 000009